【事件の表示】
　平成　９年特許願第１５０９０５号「カラーマネージメント方法およびその装置」拒絶査定不服審判事件〔平成１０年１２月２２日出願公開、特開平１０−３４１３４８〕について、次のとおり審決する。
【結　論】
　本件審判の請求は、成り立たない。
【理　由】
１．手続の経緯・本願発明 
 　本願は、平成９年６月９日の出願であって、平成１７年３月３日付けで拒絶査定がなされ、これに対し、同年４月７日に拒絶査定に対する審判請求がなされたものであって、本願の請求項１ないし４に係る発明は、平成１６年８月９日付けの手続補正書により補正された明細書及び図面の記載からみて、その請求項１ないし４にそれぞれ記載されたとおりのものと認められるところ、その請求項３に係る発明（以下、「本願発明」という。）は次のとおりのものである。
 「【請求項３】
カラー画像データに基づきプリント装置から用紙上に画像を出力するに際して、前記プリント装置で使用する最も標準的な用紙とは異なる用紙上に表現する画像の色の見えを一致させるためのカラーマネージメント装置であって、
前記カラー画像データと、前記プリント装置で使用する最も標準的な用紙を用いた場合の変換テーブルと、を記憶する記憶手段と、
前記標準的な用紙の色を表す第一の紙色データと、前記標準的な用紙とは異なる用紙の色を表す第二の紙色データと、を入力する入力手段と、
前記入力手段より入力された第一の紙色データと第二の紙色データとの色差に基づき前記記憶手段のカラー画像データの色補正を行う補正手段と、
補正されたカラーデータを出力する出力手段と、
を備え、
前記標準的な用紙とは異なる用紙に基づいた変換テーブルを新たに作成することなく、画面に表示された色と同じ色を出力することを特徴とするカラーマネージメント装置。」
 
 　 
２．引用刊行物記載の発明 
 　これに対して、原査定の拒絶の理由に引用された、本願出願日の前である平成６年１０月１８日に頒布された特開平６−２９１９９７号公報（以下、「引用例」という。）には、図面とともに以下の事項が記載されている。
 　 
（ａ）
「【０００１】
【産業上の利用分野】本発明は、ゼログラフィーや熱転写方式などのカラー出力装置に於ける色調整装置に係り、特に用紙などの記録媒体のベースカラー成分に合わせて色調整を施すことができる色調整装置に関する。」
（ｂ）
「【０００３】
【発明が解決しようとする課題】しかし、従来の色調整技術によると記録媒体の白色度等に対する記録素材のカラー発色度は全て、人間の視覚による調整、試し出力の繰り返しにより望む画質を得る方法が取られている。そのため、同じ記録素材でも記録媒体、例えばカラー用紙、再生紙などのベースカラーの違いによる影響から本来の画質とは微妙に異なる画質が生ずるという問題があった。本発明の目的は、記録媒体のベースカラーに応じた色調整操作を簡単に行うことができるカラー出力装置に於ける色調整装置を提供することにある。」
（ｃ）
「【０００４】
【課題を解決するための手段】上記の目的を達成するため、請求項１に記載の本発明は個別の色に分解された色分解画像を、順次重ね合わせてカラー画像を形成するカラー出力装置に於ける色調整装置において、カラーバランスに関する基準色データが格納された記憶手段と、記録媒体のベースカラー成分を読み取る入力手段と、前記読み取った記録媒体のベースカラー成分を補正する色調整補正手段と、前記記憶手段に記憶された基準色データを前記色調整補正手段により補正されたデータにより再調整する微調整手段と、前記色調整操作を前記個別の色と該個別の色の補色の色により表示する色調整表示手段とを具備する構成にある。また他の発明は、上記の発明において、個別の色と補色の色が、それぞれイエロー、マゼンタ、シアンおよびブルー、グリーン、レッドとした構成にある。また他の発明は、請求項１に記載の発明において、個別の色のそれぞれに対して色調整をマニュアルで行う色調整手段を備え、色調整補正手段が色調整手段により操作された色調整に応じて読み取った記録媒体のベースカラー成分を補正するようにした構成にある。さらに他の発明は、請求項１に記載の発明において、色調整表示手段は記録媒体のベースカラー成分の読み取りと該読み取った記録媒体のベースカラー成分の補正の実行を自動で行う操作ボタンを備えた構成にある。」
（ｄ）
「【０００５】
【作用】入力手段により、記録媒体上から階調や濃度のカラー成分情報を読み取り、このカラー成分情報を色調整補正手段にて補正する。すなわち、色調整補正手段では各色成分データから記憶されている基準色データ、例えば基準白データ成分との差（補正データ）を求める。次に微調整手段により、補正データに基づいて現カラーバランス値に各色ごとに増減し、以降で使用される記録媒体用のカラーバランスの補正を完了する。色調整表示手段としてＵＩ画面上に修正されたカラーバランスが表示される。」
（ｅ）
「【０００６】
【実施例】以下、本発明の実施例を図面に基づいて説明する。図１は色調整のユーザインタフェース（ＵＩ）画面のレイアウトの一例を示す。図２はカラー出力装置に於ける色調整制御のハードウエア構成を示す。図２において、装置本体は例えばプラテン上にセットされた原稿を光学読取り装置により読み取って入力される画像データを、設定された記録条件にてイメージ処理した後に、用紙に記録を施すための制御を行うＭＰＵシステムを備えている。記録条件の入力には各種のキースイッチやテンキー等のハードボタンで行う操作装置（図示せず）や表示画面上に設けられたソフトボタンで行うユーザインタフェースＵＩ５が用いられる。
【０００７】ＭＰＵシステムは、画像記録を制御するための演算処理を行うＭＰＵ１、制御プログラムやデータが記憶されたＲＯＭ２、光学読取り装置５によって読み取られた画像データを一時格納するためのＲＡＭ３およびユーザが予め定めた記録条件やデフォルト値を記憶するメモリ（ＮＶＭ）４からなっている。メモリ４は不揮発性メモリ（ＮＶＭ）やＩＣを用いたメモリカードにより構成されている。」
（ｆ）
「【０００９】カラーバランス表示部１２は、基準白データと読み取ったカラーバランスデータとの差分の大きさに応じて指針１２ａのスケール１２ｂ上の移動量によって、各色ごとの色度合を表示する。本例ではスケール１２ｂに基準白データを「０」とし、その差分を＋５と−５の範囲で表示されている。色調整操作は、図１ａに示す読取りボタンＡを押すことにより記録媒体上の一部から光学的および電気的に階調や濃度のカラー成分情報を読み取り、ＲＡＭに格納する。このときの処理によって、図１ｂに示すようにメッセージ表示部１６には「用紙表面データを記憶しました」旨表示され、ベースカラーの読み取りが完了したことを知ることができる。各色成分データからＲＯＭに格納されている基準白データ成分との差を求め、その差分成分情報を各色ごとに一時的にＲＡＭに格納する。
【００１０】次に補正実行ボタンＢを押すことにより現カラーバランス値をＲＡＭに保存しつつ、記憶された差分成分情報を現在のカラーバランスの成分情報補正値として現カラーバランスの値に各色ごとに増減され、以降で使用される記録媒体用のカラーバランスの補正を完了する。この処理が終了すると、図１ｃに示すように、ＵＩ画面上のカラーバランス表示部に修正されたカラーバランスが指針１２ａの移動によって表示されると共に、画面上部に「用紙に対してカラー自動微調整しました」旨のメッセージが表示される。また再び補正実行ボタンＢを押すとカラー調整の補正が解除され、補正前のカラーバランスが読み出され、図１ａに示すＵＩ画面に戻る。
【００１１】上記実施例によれば、記録媒体に合わせたカラー調整の補正が自動で行え、再生紙等の使用による用紙白色度の違いが影響を与えるカラーバランス、または濃度の自動調整ができる。また１枚ごとの表面白色度を読み取り、１枚ごとにカラーバランスの補正を行う自動記録媒体読取り制御が可能となり、さらにベースカラーの異なる記録媒体が混在していた場合でも上記自動記録媒体読取り制御が適用できる。」　
　
　
３．対比 
　本願発明と引用例に記載された発明（以下、「引用発明」という。）とを比較する。
　上記２（ａ）及び（ｃ）によれば、引用発明は、「カラー出力装置に於ける色調整装置」に係るものであるから、その処理の対象とする「画像データ」は、「カラー画像データ」であることは明らかである。
　上記２（ａ）及び（ｅ）によれば、引用発明における「カラー出力装置」は、「ゼログラフィーや熱転写方式などカラー出力装置」であって、用紙に記録を施すものであるから、本願発明の「プリント装置」に相当する。
　上記２（ｂ）及び（ｆ）によれば、引用発明における「記録媒体」は「用紙」であり、また、「ベースカラーの異なる記録媒体」は、「カラー出力装置」において通常使用される用紙とベースカラーの異なる用紙であると解されるから、引用発明における「ベースカラーの異なる記録媒体」は、本願発明の「プリント装置で使用する最も標準的な用紙とは異なる用紙」に相当する。 
　上記２（ｂ）及び（ｆ）によれば、引用発明における「色調整装置」は、用紙上に画像を出力するに際して、用紙のベースカラーの違いにより、本来の画質とは異なる画質を生じないように、画像の色調整を行うものであり、よって、カラー出力装置（本願発明の「プリント装置」に相当）で標準的に使用する用紙とはベースカラーの異なる用紙上に表現する画像の色の見えを一致させるためのものといえるから、本願発明と引用発明とは、「プリント装置で使用する最も標準的な用紙とは異なる用紙上に表現する画像の色の見えを一致させるためのカラーマネージメント装置」である点で一致している。 
　上記２（ｅ）によれば、引用発明における「ＲＡＭ」は、光学読取り装置５によって読み取られた画像データを一時格納するための記憶手段であるから、「画像データを記憶する記憶手段」である点で、本願発明の「記憶手段」と共通している。 
　上記２（ｄ）及び（ｆ）によれば、引用発明における「基準白データ」は、用紙の違いに応じて画像の色調整を行う際の、「基準となる色データ」である点で、本願発明の「第一の紙色データ」と共通している。
　上記２（ｂ）及び（ｆ）によれば、引用発明における「ベースカラーの異なる記録媒体上の一部から光学的および電気的に階調や濃度のカラー成分情報」は、「ベースカラーの異なる記録媒体」（本願発明の「プリント装置で使用する最も標準的な用紙とは異なる用紙」に相当）の色を表すものであるから、本願発明の「標準的な用紙とは異なる用紙の色を表す第二の紙色データ」に相当する。
　上記２（ｆ）によれば、引用発明は、カラーバランスの補正において、ベースカラーの異なる記録媒体のベースカラー成分を読み取り、前記ＲＡＭに格納し、そのベースカラー成分情報の各色成分データと、ＲＯＭに格納されている基準白データ成分との差を求め、その差分成分情報を現在のカラーバランスの成分情報補正値として現カラーバランスの値に各色ごとに増減され、以降で使用される記録媒体用のカラーバランスの補正を実行しているので、カラーバランスの補正において、ＲＯＭから基準白データが読み出され、また、ＲＡＭからベースカラーの異なる記録媒体のベースカラー成分（本願発明の「第二の紙色データ」に相当）が読み出されており、それぞれ読み出されたデータを入力する手段を備えているといえる。よって、本願発明と引用発明とは、「基準となる色データと、標準的な用紙とは異なる用紙の色を表す第二の紙色データと、を入力する入力手段」を備える点で一致している。
　上記２（ｆ）によれば、引用発明における「ベースカラーの異なる記録媒体のベースカラー成分を読み取り、前記ＲＡＭに格納し、そのベースカラー成分情報の各色成分データと、ＲＯＭに格納されている基準白データ成分との差」である「差分成分情報」は、基準となる色データとベースカラーの異なる記録媒体のベースカラー成分情報（本願発明の「第二の紙色データ」に相当）との色成分の差（色差）であるから、本願発明とは、「基準となる色データと第二の紙色データとの色差」である点で共通している。また、引用発明は、カラーバランスの補正を行っており、その「カラーバランスの補正」は、本願発明の「色補正」に相当するから、引用発明は「色補正を行う補正手段」を備えることは明らかである。更に、引用発明における「カラーバランスの補正」は「画像データ」の補正に用いられることは明らかである。よって、引用発明は、ベースカラーの異なる記録媒体のベースカラー成分を読み取り、前記ＲＡＭに格納し、そのベースカラー成分情報の各色成分データと、ＲＯＭに格納されている基準白データ成分との差を求め、その差分成分情報を現在のカラーバランスの成分情報補正値として現カラーバランスの値に各色ごとに増減され、以降で使用される記録媒体用のカラーバランスの補正を実行するものであるから、「基準となる色データと第二の紙色データとの色差に基づき記憶手段のカラー画像データの色補正を行う」点で、本願発明の「補正手段」と共通している。 
　上記２（ａ）及び（ｅ）によれば、引用発明は、「カラー出力装置における色調整装置」に係り、その「カラー出力装置」は、「ゼログラフィーや熱転写方式などのカラー出力装置」であって用紙に記録を施すものであるから、「カラー出力装置」は、色調整された画像を出力することは明らかである。よって、引用発明における「カラー出力装置」は、本願発明の「補正されたカラーデータを出力する出力手段」に相当する構成を備えていることは明らかである。
　
　すると、本願発明と引用発明とは、次の点で一致する。
 「カラー画像データに基づきプリント装置から用紙上に画像を出力するに際して、前記プリント装置で使用する最も標準的な用紙とは異なる用紙上に表現する画像の色の見えを一致させるためのカラーマネージメント装置であって、
前記カラー画像データを記憶する記憶手段と、
基準となる色データと、前記標準的な用紙とは異なる用紙の色を表す第二の紙色データと、を入力する入力手段と、
基準となる色データと第二の紙色データとの色差に基づき前記記憶手段のカラー画像データの色補正を行う補正手段と、
補正されたカラーデータを出力する出力手段と、
を備えることを特徴とするカラーマネージメント装置。」 
 　 
　一方で、両者は、次の相違点で相違する。
［相違点１］
　本願発明では、「記憶手段」が、「プリント装置で使用する最も標準的な用紙を用いた場合の変換テーブル」を記憶するのに対し、引用発明では、ＲＯＭに、制御プログラムや基準白データを記憶するものである点。
 　 
［相違点２］
　「入力手段」、及び、「補正手段」における、基準となる色データが、本願発明では、「標準的な用紙の色を表す第一の紙色データ」であるのに対し、引用発明では、「基準白データ」である点。
　
［相違点３］
　本願発明では、「標準的な用紙とは異なる用紙に基づいた変換テーブルを新たに作成することなく、画面に表示された色と同じ色を出力する」のに対し、引用発明では、この点が明らかでない点。 
　
　
４．判断 
 　そこで、上記各相違点について検討する。 
［相違点１について］ 
　カラーマネージメントの技術分野において、用紙上に表現する画像の色の見えを一致させる色調整を行うために、変換テーブルを記憶して用いることは、例えば、特開平８−２５６２７３号公報、特開平８−２６５５８７号公報、及び、特開平７−１７７３６７号公報等にて、周知の事項にすぎない。この周知の変換テーブルを、引用発明に適用して、プリント装置で使用する最も標準的な用紙を用いた場合の変換テーブルを記憶手段に記憶することは当業者が容易に想到し得ることである。
　
［相違点２について］ 
　引用例のものも、「従来の色調整技術によると記録媒体の白色度等に対する記録素材のカラー発色度は全て、人間の視覚による調整、試し出力の繰り返しにより望む画質を得る方法が取られている」（上記記載事項（ｃ）参照）ことを参酌すれば、基準白データに換えて、カラー出力装置に通常使用する用紙に対応したデータ、すなわち、本願発明でいう「標準的な用紙の色を表す第一の紙色データ」を採用することは当業者が適宜なし得る程度のことである。
 　 
［相違点３について］ 
　引用発明では、ベースカラーの異なる記録媒体上の一部から光学的および電気的に読み取られた階調や濃度のカラー成分情報と、各色成分データからＲＯＭに格納されている基準白データ成分との差を求め、その差分成分情報を各色ごとに一時的にＲＡＭに格納し、記憶された差分成分情報を現在のカラーバランスの成分情報補正値として現カラーバランスの値に各色ごとに増減され、以降で使用される記録媒体用のカラーバランスの補正を実行するものであるから、標準的な用紙とは異なる用紙に基づいた変換テーブルを新たに作成するものではないことは当業者にとって自明である。
　また、カラーマネージメントの技術分野において、ディスプレイ等を備えるコンピュータ、及び、プリント装置を含むシステムにより、画面に表示された画像の色と同じ色で印刷出力する事項は、例えば、特開平８−２５６２７３号公報、及び、特開平７−１７７３６７号公報等にて、本願出願当時既に周知の事項にすぎない。引用発明を、上記周知のシステムに適用して、画面に表示された色と同じ色を出力するよう構成することは当業者が容易に想到し得ることである。
　
　そして、これら相違点を総合的に考慮しても当業者が想到し難い格別のものであるとすることはできず、また本願発明の効果についてみても、上記構成の採用に伴って当然に予測される程度のものにすぎず、格別顕著なものがあるともいえない。
　
　
５．むすび 
　以上のとおり、本願の請求項３に係る発明は、特許法第２９条第２項の規定により特許を受けることができないものである。
　したがって、その余の請求項について検討するまでもなく、本願は、拒絶すべきものである。 
　よって、結論のとおり審決する。